(57)【特許請求の範囲】
【請求項１】
シート状の原稿を載置した原稿ホルダを原稿台上に着脱可能に装着し、前記原稿の画像を読み取る画像入力装置において、
マウントに保持された複数の前記原稿を、前記原稿ホルダ上に並列載置し、その上に、これら複数の前記原稿すべてを１枚で覆うように、前記原稿ホルダに開閉自在に支持された原稿保持部材を閉じ、前記原稿保持部材に設けられた押圧部材で、複数の前記原稿をそれぞれ独立かつ同時に押圧固定したことを特徴とする画像入力装置。
【請求項２】
前記原稿ホルダ上に前記原稿を位置決めする位置決め部材を設けたことを特徴とする請求項１に記載の画像入力装置。
【発明の詳細な説明】
【０００１】
【産業上の利用分野】
本発明は、フィルム原稿等の画像を読み取る画像入力装置に関するものである。
【０００２】
【従来の技術】
フィルム原稿等の画像を読み取る画像入力装置として、いわゆるスキャナが知られている。
【０００３】
スキャナを大別すると、写真プリント等の反射原稿を読み取るものと、フィルム等の透過原稿を読み取るものに分けられる。フィルムはシート状のものと、例えばスライド用マウントに保持されたものとに分けられる。従来からスライドスキャナと言われるスライド専用の画像入力装置が知られているが、原稿のセット、読み取り動作を１画像毎に行うことが必要であった。また、スライドの画像多数を同時に読み取るには、各原稿をマウントから取り外して例えばドラムスキャナにセットしてから読み取りを行う等の方法をとっていた。
【０００４】
【発明が解決しようとする課題】
上記のようなスライドスキャナで多数のスライド原稿の画像を読み取るには、１画像毎にスライドをセットし直す手間がかかり、生産性に限界があった。またドラムスキャナ等の場合には、原稿をいちいちマウントから外して、ドラムに貼りつける手間が必要であった。
【０００５】
本発明はこのような状況に鑑みてなされたもので、複数のスライド原稿を効率よく読み取ることのできる画像入力装置を提供することを目的とする。
【０００６】
【課題を解決するための手段】
上記目的を達成するために、請求項１に記載の本発明は、シート状の原稿を載置した原稿ホルダを原稿台上に着脱可能に装着し、原稿の画像を読み取る画像入力装置において、マウントに保持された複数の原稿を、原稿ホルダ上に並列載置し、その上に、これら複数の原稿すべてを１枚で覆うように、原稿ホルダに開閉自在に支持された原稿保持部材を閉じ、原稿保持部材に設けられた押圧部材で、複数の原稿をそれぞれ独立かつ同時に押圧固定したことを特徴とする。
【０００７】
請求項２に記載の画像入力装置は、原稿ホルダ上に原稿を位置決めする位置決め部材を設けたことを特徴とする。
【０００８】
【作用】
請求項１の構成の画像入力装置においては、原稿ホルダの同一面上に原稿を並べて載置し、その上に、これら複数の原稿すべてを１枚で覆うように、原稿ホルダに開閉自在に支持された原稿保持部材を閉じ、原稿保持部材に設けられた押圧部材で複数の原稿をそれぞれ独立かつ同時に押さえて固定するようにしたので、複数の原稿の画像を同時に読み取ることができる。
【０００９】
請求項２に記載の画像入力装置においては、原稿ホルダ上に原稿を位置決めする位置決め部材を設けたので、原稿を所定の位置に確実に位置決め載置することができる。
【００１０】
【実施例】
以下、本発明の画像入力装置の一実施例を図面を参照して説明する。
【００１１】
図１乃至図４に本発明の一実施例の構成を示す。図３に本発明の画像入力装置の一実施例の内部概略構成を示す。
【００１２】
図３において、ケース１は箱形に形成されており、ケース１の一方の正面にはフィルムホルダ２を出し入れするための挿入口３が設けられている。挿入口３には軸４周りに回動する扉５が取り付けられている。ケース１の内部はほぼ３層で構成されており、上部から順に照明部６、原稿走査部７、結像部８が配置されている。
【００１３】
照明部６は、図３中右側に配置されたハロゲンランプなどの光源９、熱線吸収フィルタ３１、拡散板１０、色フィルタ１１、第１のコンデンサレンズ１２、第１のミラー１３、第２のミラー１４、第３のミラー１５及び第２のコンデンサレンズ１６などで構成されている。そして光源９から出射した光は第１、第２、第３のミラー１３、１４、１５によりそれぞれ光路が直角に折り曲げられ、フィルム１７の面を直角方向に照射する。従って光路が折り畳まれ、フィルム１７の面に平行に配置されるため、照明部６は薄型の構成となっている。
【００１４】
原稿走査部７はフィルムホルダ２、ステージ１８及びリードねじ１９とステージモータ２０とからなる駆動機構２１などで構成されており、リードねじ１９及びステージ１８は照明部６の光路に平行に配置されている。
【００１５】
結像部８はミラー２２、レンズ２３及びＣＣＤ２４などで構成されており、ミラー２２で反射された光路は照明部６の光路に平行に配置されている。なお、フィルム１７の画像の読み取りはライン型のＣＣＤ２４により行われるので、フィルム１７上の照明領域はＣＣＤ２４に対応した線状でよく、照明部６を構成するフレネル型のコンデンサレンズ１２、１６やミラー１３、１４、１５も線状でよいため、前述の通り照明光学系の光路を折り畳んで配置することができ、薄型の照明部６を構成することができる。
【００１６】
また、ケース１の図３中左側下方には、ＣＣＤ２４に対向する位置に空気取入孔（不図示）が形成されており、ケース１の図３中右側上方には、排気ファン２５が設けられている。
【００１７】
次に、読み取り動作、フィルムホルダ２の挿入、排出について説明する。フィルムホルダ２の挿入がなされていない場合には、画像入力装置本体のステージ１８は、フィルムホルダ２の挿入待機位置にある。図３に示す位置よりもステージ１８は左側に移動した状態である。
【００１８】
フィルム１７をフィルムホルダ２にセットした後、フィルムホルダ２を挿入口３から挿入し、ステージ１８上に固定する。挿入口３に取り付けられた扉５は、フィルムホルダ２の挿入（図３中右方への移動）動作につれて図中反時計周りの連動がなされる。フィルムホルダ２の装填動作が完了すると、ステージ１８は、読み取り開始位置に移動し、扉５は閉まる。扉の閉動作の詳細は図示しないが、例えば重力の利用、コイルばね、ねじりばね、板ばね、ソレノイドやモータ等の電磁力等適宜の力を利用することで実現がなされる。
【００１９】
ステージ１８は駆動機構２１により駆動されて右側に移動し、フィルム１７の画像の読み取りのための副走査が行われる。一方では光源９を点灯し、照明部６によりフィルム１７の読み取り位置が照明される。フィルム１７上の画像を透過した光はミラー２２及びレンズ２３を介してＣＣＤ２４上に結像され、１ラインの画像の読み取りが行われる。この主走査方向の読み取り動作を、順次副走査方向、すなわちフィルム１７の移動方向に移動させながら繰り返すことにより、２次元的にフィルム１７の画像を入力することができる。
【００２０】
このようにしてフィルム１７の画像をＣＣＤ２４により読み取り、光電変換して画像信号を画像処理部（不図示）へ入力する。なお、色フィルタ１１には赤、青、緑の３色のフィルタが備えられており、交互に同一画像を照射することによりカラー画像の入力を行うことができる。
【００２１】
レンズ２３とライン型イメージセンサであるＣＣＤ２４とは、結像部支持部材２６上に一定の間隔で固定保持されており、また、結像部支持部材２６は焦点合わせ駆動機構２７により駆動される。焦点合わせ駆動機構２７は結像部支持部材２６に螺合するリードねじ２８と、リードねじ２８を回転駆動する焦点合わせモータ２９と、レンズ２３、ＣＣＤ２４を光軸方向に案内するガイドバー（不図示）と、ガイド部材（不図示）とから構成されている。
【００２２】
図示しない画像処理部では、画像の入力処理の他に、焦点合わせ駆動機構２７を駆動させてはコントラスト演算をしながら、焦点合わせ動作を自動的に行うなどの処理がなされる。
【００２３】
上記の画像入力装置の動作中、ステージモータ２０の駆動、光源９の点灯、回路駆動のための電源３０などによる熱が発生する。しかしながらケース１の下方のＣＣＤ２４の近傍に配置された空気取入孔（不図示）から外気が吸入され、ケース１内のステージモータ２０、光源９、電源３０などから発生する熱を吸収した後、排気ファン２５によって外部に排出されるので、ＣＣＤ２４の周囲温度の上昇を防ぐことができる。
【００２４】
フィルムホルダ２の排出動作はステージ１８の左方向への移動によりなされる。ステージ１８が左側に移動し、挿入待機位置に達すると、フィルムホルダ２の後端が扉５を軸４周りに駆動して、フィルムホルダ２をステージ１８から解除して排出方向に移動させる。フィルムホルダ２の後端は挿入口３の外部に露出するため、取り出しが可能となる。フィルムホルダ２が引き抜かれると、扉５は重力等により駆動されて閉まる。
【００２５】
以下にフィルムホルダ２の詳細について図１，２を参照して説明する。フィルムホルダ２は、その外形を構成するフレーム４１と、フレーム４１の中央に回転自在に保持されたターンテーブル４２とで構成される。フィルムホルダ２は挿入方向前端（図１中右上方）の左右に一部切り欠き部を有する矩形状の薄板形状に形成されている。左右の切り欠き部４３、４４は非対称形状をしている。
【００２６】
フレーム４１の挿入方向の手前側（図１中左下側）には、挿入、取り出し操作を容易にするための溝部４５が設けられている。挿入方向の左右には、切り欠き部４３，４４に続いて斜面４６，４７、位置決め穴４８，４９（４８は不図示）、凸状に形成された滑り部５０，５１が設けられている。ターンテーブル４２はフレーム４１上に回転可能に保持されている。
【００２７】
ターンテーブル４２の外周には角度指標５４が、フレーム４１には角度目盛り５５が設けられている。また、フレーム４１のターンテーブル４２周囲には方眼目盛り５６が設けられている。ターンテーブル４２の左右にあたる位置の滑り部５０，５１は階段状に形成されており、方眼目盛り５６に準じた目盛りとなっている。
【００２８】
ターンテーブル４２の底部には開口部（不図示）が形成されており、その上面にはマウント位置決め板５７が固定されている。マウント位置決め板５７には開口５８が形成されており、開口５８の周囲にはフィルムマウント５９の搭載位置を規制する突起部６０が設けられている。
【００２９】
ターンテーブル４２の一端にはヒンジ６１を介してマウント押え板６２が開閉自在に支持されている。マウント押え板６２には、マウント位置決め板５７の複数の開口５８に対応した開口６３が形成されている。また複数の開口６３の周囲には板ばね６４の一端が固定されている。ターンテーブル４２の他端にはマウント押え板６２の先端部６２ａをロックするための押さえ部材６５が設けられている。
【００３０】
フィルムホルダ２にフィルム１７が保持されたフィルムマウント５９を装填するためには、先ずフィルムホルダ２の押さえ部材６５をずらしてマウント押え板６２の先端部６２ａを開放する。次に、マウント位置決め板５７上の突起部６０に合わせてフィルムマウント５９を載せた後、マウント押え板６２を閉じて、押さえ部材６５で固定する。このとき、フィルムマウント５９のマウント枠部は板ばね６４によりマウント位置決め板５７上に保持されて平面性が保たれる。透過原稿としてのフィルム１７は開口部５８、６３内で観察可能であり、画像入力装置としてのスキャナでの読み取りが可能となる。
【００３１】
複数のフィルムマウント５９は、それぞれ開口６３の周囲に設けられた板ばね６４で独立して保持されるので、厚さの異なるフィルムマウント５９でも同時に装填することができる。
【００３２】
次に、画像入力装置のステージ１８上にフィルムホルダ２を位置決め保持する状況を説明する。ステージの奥側左右（図４中右側）には、先端部に軸部７１、中央上部に腕部７２を有するシーソー部材７３が、回転軸７４を中心にして、ばね７５により反時計回りに付勢されている。ステージ１８の手前側左右（図４中左側）には、下方に付勢された板ばね７６が設けられている。
【００３３】
挿入待機位置にあるステージ１８に対してフィルムホルダ２を手動で挿入すると、まず、滑り部５１が板ばね７６により付勢される。次に、斜面４７が軸部７１を持ち上げて進んだ後、軸部７１は位置決め穴４９に落ち込む。この間に、フィルムホルダ２は、戻し部材７８により押し戻される方向（図４中左側）に力を受けている。手を放すと、この押し戻される力により、軸部７１および段部７７と位置決め穴４９との間で位置が確定し、フィルムホルダ２はステージ１８上にロックされる。
【００３４】
フィルムホルダ２は滑り部５１の後端部を板ばね７６で、前端部をシーソー部材７３の段部７７で押さえられる。なお、フィルムホルダ２のこれらの押さえ部の上下の両面は、他の領域よりも突出しており、ステージ底面の寸法管理されたレール上で上下方向の位置が決定される。以上の結果として、フィルム１７とステージ１８との平行度が確保される。
【００３５】
次に、画像入力装置のステージ１８上からフィルムホルダ２を開放し、排出する状況を説明する。ステージ１８を挿入待機位置より排出側に移動すると、不図示の固定部材がシーソー部材７３の腕部７２を駆動して、シーソー部材７３に時計回りの運動を生じさせる。適宜の位置で再びステージ１８を挿入待機位置まで移動すると、この間に、フィルムホルダ２は、戻し部材により押し戻されるから、その後端は挿入口３から引き抜くことができる。
【００３６】
画像入力装置での読み取りはホストコンピュータ等により行われる。この際、いわゆるプレビュー等で広範囲の読み取りを行って、例えば４枚のスライドフィルムの画像を同時にモニタ装置上に表示した後に、個別のスライドフィルムの画像の領域を指定して焦点合わせ動作を行い、トリミングされた画像の読み取りデータを得ることができる。領域指定、焦点合わせ、画像の読み取りの各動作を繰り返すことができるので、フィルムホルダ２上に複数のフィルムマウント５９を装填して、画像入力装置に挿入すれば、フィルムホルダ２を画像入力装置から排出したり、フィルムマウント５９を交換したりすることなく、連続して複数の画像の読み取りをおこなうことができる。
【００３７】
上記実施例では、フィルムマウント５９が４個の場合について説明したが、フィルムマウント５９の個数は４個に限定されないことは言うまでもない。また、突起部６０を省略してフィルムマウント５９を密接して配置してもよい。この場合は、マウント位置決め板５７及びマウント押え板６２にそれぞれ形成された開口５８，６３の位置を変更する。
【００３８】
【発明の効果】
以上説明したように、本発明の画像入力装置によれば、原稿ホルダ上に複数の原稿を並列載置し、その上に、原稿保持部材を閉じ、原稿保持部材に設けられた押圧部材でそれぞれ独立して押圧保持するようにしたので、原稿の交換を行うことなく同時に複数の原稿の画像を読み取ることができ、生産性の向上を図ることができる。また、原稿を保持するマウントの厚さが異なる場合でも、原稿ホルダに安定して保持することができ、しかも原稿の着脱を行わないので、原稿を傷付けるおそれも少ない。
【図面の簡単な説明】
【図１】本発明の画像入力装置の一実施例に設けられた原稿ホルダの構成を示す斜視図である。
【図２】図１の縦断面図を示す。
【図３】図１の原稿ホルダを用いる画像入力装置の一例の内部概略構成を示す縦断面図である。
【図４】図１の原稿ホルダを説明するための縦断面図である。
【符号の説明】
２  フィルムホルダ（原稿ホルダ）
１７  スライドフィルム
１８  ステージ（原稿台）
６０  突起部（位置決め部材）
６４  板ばね（押圧部材）
【図１】
0003642435.tif 000002
【図２】
0003642435.tif 000003
【図３】
0003642435.tif 000004
【図４】
0003642435.tif 000005